(57)【要約】【課題】センサを安全に接続することのできるセンサコネクタ及び検体測定装置を提供する。【解決手段】ベース１４と、ベース１４に設けられた電極１６ａ及び１６ｂと、バイオセンサ１８を電極１６ａ及び１６ｂへ接続するセンサ接続部２０と、電極１６ａ及び１６ｂをセンサ用のプリント基盤２２へ接続する基盤接続部２４とを備えたセンサコネクタ１０において、ベース１４に対して摺動させてバイオセンサ１８をセンサ接続部２０から押し出す摺動部材３２を備えて構成した。【選択図】　　　図１
2004061209.tif 000002
【特許請求の範囲】
【請求項１】
ベースと、該ベースに設けられた電極と、所定のセンサを該電極へ接続するセンサ接続部と、該電極を所定のプリント基盤へ接続する基盤接続部とを備えたセンサコネクタにおいて、
前記センサが前記電極へ取り外し可能に接続され、該センサを前記センサ接続部から取り外すために該センサを前記センサ接続部から押し出す押出手段が備えられたことを特徴とするセンサコネクタ。
【請求項２】
前記センサがバイオセンサであることを特徴とする請求項１に記載するセンサコネクタ。
【請求項３】
前記センサ接続部が前記センサを挿入して前記電極へ接続するように構成されるとともに、前記押出手段が前記ベースに対して摺動する摺動部材から構成され、該摺動部材を指で押圧しながら該ベースに対して該センサの挿入方向と逆の方向に摺動させることによって、前記センサが該センサ接続部に対して摺動し、該センサが該センサ接続部から押し出されることを特徴とする請求項１又は請求項２に記載するセンサコネクタ。
【請求項４】
前記摺動部材が前記センサ接続部に挿入されたセンサに係合される係合部を有し、該係合部を該センサに係合させながら該摺動部材を前記ベースに対して摺動させることによって、該センサが該センサ接続部から押し出されることを特徴とする請求項３に記載するセンサコネクタ。
【請求項５】
前記センサが前記挿入方向と正又は逆方向以外には移動不可能なように前記センサ接続部に圧入して挿入され、前記摺動部材が前記ベースに対して該挿入方向と正又は逆方向以外には移動不可能なように、該摺動部材が該ベースに嵌合されたことを特徴とする請求項３又は請求項４に記載するセンサコネクタ。
【請求項６】
前記摺動部材を指で押圧しながら前記ベースに対して摺動させるための凸部が備えられたことを特徴とする請求項３乃至請求項５のいずれかに記載するセンサコネクタ。
【請求項７】
ベースと、該ベースに設けられた電極と、所定のセンサを該電極へ接続するセンサ接続部と、該電極を所定のプリント基盤へ接続する基盤接続部とを備えたセンサコネクタにおいて、
前記センサ接続部に前記センサを接続したことを検知する接続検知手段を備えたことを特徴とするセンサコネクタ。
【請求項８】
ベース、該ベースに設けられた電極、所定のセンサを該電極へ接続するセンサ接続部、及び該電極を所定のプリント基盤へ接続する基盤接続部を備えたセンサコネクタと、該センサコネクタに接続したセンサと、該センサコネクタを接続したプリント基盤とから構成される検体測定装置において、
前記センサが前記センサコネクタの電極へ取り外し可能に接続され、該センサを前記センサコネクタのセンサ接続部から押し出す押出手段が備えられたことを特徴とする検体測定装置。
【発明の詳細な説明】
【０００１】
【発明の属する技術分野】
本発明は、酵素センサ等のセンサをプリント基盤へ取り付けるためのセンサコネクタ、及びそのセンサコネクタを使用した検体測定装置に関する。
【０００２】
【従来の技術】
従来から、血液又は尿等の検査のために、バイオセンサが使用されている。このバイオセンサの一例として、図１４に、血液中の血糖値を測定するバイオセンサ１を示す。このバイオセンサ１は、２本の電極２及び３をプリント基盤へ接続して、先端付近４の分子認識部５を血液中に入れることによって、プリント基盤により又はプリント基盤を介して血糖値を表示できるように構成されている。このバイオセンサ１は消耗品であり、血糖値の測定後にはプリント基盤から取り外されて、廃棄処分される。
【０００３】
ここで、測定後にバイオセンサ１をプリント基盤から取り外す作業は、人が手でバイオセンサ１を把持しながら行われていたため、バイオセンサ１に付着した血液からＣ型肝炎やヒト免疫不全症候群等に感染するおそれがあり、バイオセンサ１の取り外し作業は、手袋をして行う等、細心の注意を払って行われていた。このため、バイオセンサ１の安全な取り外し作業を容易に行えるようにすることが望まれていた。
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、バイオセンサのプリント基盤からの取り外し作業を安全かつ容易に行えるようにするべく、バイオセンサに触れることなく、バイオセンサをプリント基盤から容易に取り外し作業のできるセンサコネクタ及び検体測定装置を提供することを目的とする。
【０００６】
【課題を解決するための手段】
本発明のセンサコネクタは、ベースと、該ベースに設けられた電極と、所定のセンサを該電極へ接続するセンサ接続部と、該電極を所定のプリント基盤へ接続する基盤接続部とを備えたセンサコネクタにおいて、前記センサが前記電極へ取り外し可能に接続され、該センサを前記センサ接続部から取り外すために該センサを前記センサ接続部から押し出す押出手段が備えられたことを特徴とする。
【０００７】
このようなセンサコネクタは、センサを手で触れずにセンサコネクタから押し出して、センサをセンサコネクタから離隔させ、又は固定状態を緩めることができるように構成したセンサコネクタである。
【０００８】
また、本発明の前記センサコネクタにおいて、前記センサがバイオセンサであることを特徴とする。
【０００９】
このようなセンサコネクタは、血液や尿等の検査を行うためのバイオセンサに使用することによって、作業者への感染を防止するようにしたセンサコネクタである。
【００１０】
また、本発明の前記センサコネクタにおいて、前記センサ接続部が前記センサを挿入して前記電極へ接続するように構成されるとともに、前記押出手段が前記ベースに対して摺動する摺動部材から構成され、該摺動部材を指で押圧しながら該ベースに対して該センサの挿入方向と逆の方向に摺動させることによって、前記センサが該センサ接続部に対して摺動し、該センサが該センサ接続部から押し出されることを特徴とする。
【００１１】
このようなセンサコネクタは、摺動部材を摺動させることによって容易にセンサをセンサコネクタから押し出すことができるように構成したセンサコネクタである。
【００１２】
また、本発明の前記センサコネクタにおいて、前記摺動部材が前記センサ接続部に挿入されたセンサに係合される係合部を有し、該係合部を該センサに係合させながら該摺動部材を前記ベースに対して摺動させることによって、該センサが該センサ接続部から押し出されることを特徴とする。
【００１３】
このようなセンサコネクタは、摺動部材の係合部をセンサに係合させることによって確実にセンサをセンサコネクタから押し出すように構成したセンサコネクタである。
【００１４】
また、本発明の前記センサコネクタにおいて、前記センサが前記挿入方向と正又は逆方向以外には移動不可能なように前記センサ接続部に圧入して挿入され、前記摺動部材が前記ベースに対して該挿入方向と正又は逆方向以外には移動不可能なように、該摺動部材が該ベースに嵌合されたことを特徴とする。
【００１５】
このようなセンサコネクタは、摺動部材の係合部をセンサに係合させた状態で、摺動部材及びセンサをベースに対してセンサの挿入方向と逆方向へ平行移動させることによって、摺動部材とセンサとの係合状態が解除されないように構成したセンサコネクタである。また、このようなセンサコネクタは、センサを圧入して挿入するように構成することによって、センサをセンサコネクタから押し出していくに従って、センサとセンサコネクタとの固定状態が緩くなっていくように構成したセンサコネクタである。
【００１６】
また、本発明の前記センサコネクタにおいて、前記摺動部材を指で押圧しながら前記ベースに対して摺動させるための凸部が備えられたことを特徴とする。
【００１７】
このようなセンサコネクタは、摺動部材の凸部に指を掛けて摺動部材を容易かつ確実に摺動させることができるように構成したセンサコネクタである。
【００１８】
また、本発明のセンサコネクタは、ベースと、該ベースに設けられた電極と、所定のセンサを該電極へ接続するセンサ接続部と、該電極を所定のプリント基盤へ接続する基盤接続部とを備えたセンサコネクタにおいて、前記センサ接続部に前記センサを接続したことを検知する接続検知手段を備えたことを特徴とする。
【００１９】
このようなセンサコネクタは、センサによる測定が可能なようにセンサをセンサ接続部へ接続したことを作業者が認識できるように構成したセンサコネクタである。
【００２０】
また、本発明の検体測定装置は、ベース、該ベースに設けられた電極、所定のセンサを該電極へ接続するセンサ接続部、及び該電極を所定のプリント基盤へ接続する基盤接続部を備えたセンサコネクタと、該センサコネクタに接続したセンサと、該センサコネクタを接続したプリント基盤とから構成される検体測定装置において、前記センサが前記センサコネクタの電極へ取り外し可能に接続され、該センサを前記センサコネクタのセンサ接続部から押し出す押出手段が備えられたことを特徴とする。
【００２１】
このような検体測定装置は、本発明のセンサコネクタを備えた検体測定装置である。
【００２２】
【発明の実施の形態】
次に、本発明に係るセンサコネクタ及び検体測定装置について、図面に基づいて詳しく説明する。
【００２３】
図１乃至図５及び図８において、符号１０は、本発明のセンサコネクタであり、符号１２は、本発明の検体測定装置である。センサコネクタ１０は、ベース１４と、ベース１４に設けられた電極１６ａ及び１６ｂと、バイオセンサ１８を電極１６ａ及び１６ｂへ接続するセンサ接続部２０と、電極１６ａ及び１６ｂをセンサ用のプリント基盤２２へ接続する基盤接続部２４とを備え、ベース１４に対して摺動させてバイオセンサ１８をセンサ接続部２０から押し出す摺動部材（押出手段）３２を備えている。また、検体測定装置１２は、このセンサコネクタ１０と、センサコネクタ１０に接続したバイオセンサ１８と、センサコネクタ１０を接続したプリント基盤２２とから構成される。
【００２４】
ベース１４のセンサ接続部２０は、図６及び図７に示すように、電極内蔵部２５が突出することによって電極内蔵部２５の下部に形成される深い溝２６にバイオセンサ１８を挿入して接続できるように構成されている。電極１６ａ及び１６ｂは、電極内蔵部２５から溝２６内へ僅かに突出しており、この突出する部分にバイオセンサ１８の電極を接触させて押圧し、電極１６ａ及び１６ｂを弾性変形させながら、バイオセンサ１８を溝２６内へ取り外し可能に圧入できるように構成されている。また、バイオセンサ１８の挿入方向両側の側端をベース１４の溝３０の側面３１に沿って摺動させながらバイオセンサ１８を挿入するため、バイオセンサ１８は挿入方向と正又は逆方向以外には移動不可能にセンサコネクタ１０へ挿入される。
【００２５】
基盤接続部２４は、図６及び図７に示すように、ベース１４の背面側において、電極１６ａ及び１６ｂが突出することによって構成され、電極１６ａ及び１６ｂがプリント基盤２２の電極と接触可能なように構成されている。なお、ベース１４は螺子２９によってプリント基盤２２に固定される。
【００２６】
摺動部材３２は、ベース１４に対して摺動するように構成され、摺動部材３２の円柱形の凸部３４を指で押圧しながらベース１４に対してバイオセンサ１８の挿入方向と逆の方向に摺動させることによって、バイオセンサ１８がセンサ接続部２０に対して摺動し、バイオセンサ１８がセンサ接続部２０から押し出されるように構成されている。
【００２７】
また、摺動部材３２は、センサ接続部２０に接続したバイオセンサ１８に係合される係合部３３を有し、係合部３３をバイオセンサ１８に係合させながら摺動部材３２をベース１４に対して摺動させることによって、バイオセンサ１８がセンサ接続部２０から押し出されるように構成されている。また、摺動部材３２は摺動方向に対して両側の二つの側端３６がコの字形状に構成されて、コの字の側端３６の内周面がベース１４の両側の二つの側端３８の外周面に摺動可能に係合されている。また、摺動部材３２は、突起部４０を備え、ベース１４の長孔４２に摺動可能に係合されている。すなわち、摺動部材３２がベース１４に対して、バイオセンサ１８の挿入方向と正又は逆方向以外には移動不可能なように、摺動部材３２がベース１４に摺動可能に嵌合されている。
【００２８】
また、センサコネクタ１０は、センサ接続部２０にバイオセンサ１８を挿入したことを検知する接続検知手段４１を備えている。接続検知手段４１は、図７に示すように、バイオセンサ１８を電極１６ａ及び１６ｂと通電可能な位置まで、センサ接続部２０に挿入することによって電極４４ａがバイオセンサ１８により押圧されて弾性的に変形し、電極４４ｂへ接触し、通電するように構成されており、バイオセンサ１８が測定可能なように挿入されたことを検知できるように構成されている。
【００２９】
このようなセンサコネクタ１０及び検体測定装置１２は、予めベース１４がプリント基盤２２に固定され、摺動部材３２がベース１４に係合されており、血液又は尿等の検査を行う時には、所定のバイオセンサ１８がセンサ接続部２０の溝２６内へ挿入される。バイオセンサ１８が溝２６内へ挿入されると、バイオセンサ１８が摺動部材３２の係合部３３に係合し、摺動部材３２がバイオセンサ１８の挿入方向へ摺動して、図１（ａ）に示すように、バイオセンサ１８がセンサコネクタ１０へ取り付けられる。
【００３０】
また、バイオセンサ１８が溝２６内へ挿入されると、バイオセンサ１８の電極がベース１４内の電極１６ａ及び１６ｂに接触してバイオセンサ１８による測定が可能となる。また、バイオセンサ１８が溝２６内へ挿入されると、電極４４ａが電極４４ｂに接触し、バイオセンサ１８が挿入されたことがプリント基盤２２のＬＥＤ若しくはＬＣＤ等、又はプリント基盤２２を介してＬＥＤ若しくはＬＣＤ等によって表示され、バイオセンサ１８が測定可能なように接続されたことを作業者が認識できる。
【００３１】
次に、例えば、血液中の血糖値を測定する場合には、センサコネクタ１０に接続されたバイオセンサ１８の先端付近の分子認識部４８が血液の中へ入れられる。バイオセンサ１８の分子認識部４８が血液の中へ入れられると、電極１６ａ及び１６ｂが通電して、プリント基盤２２によって血糖値が検知される。
【００３２】
このようにして血糖値の測定が終了すると、バイオセンサ１８の接続された検体測定装置１２が廃棄処理用容器の上に保持され、摺動部材３２の凸部３４が指で押さえられ、摺動部材３２がバイオセンサ１８の挿入方向と逆方向へ押し出されて摺動される。バイオセンサ１８は摺動部材３２の係合部３３に係合しているため、バイオセンサ１８が摺動部材３２によって押圧され、図８に示すように、バイオセンサ１８も摺動部材３２と共に押し出される。押し出されたバイオセンサ１８は、指で触れられることなく、廃棄処理用容器内へ入れられる。
【００３３】
このようなセンサコネクタ１０及び検体測定装置１２によれば、バイオセンサ１８による測定後は、摺動部材３２を指で摺動させることによって、バイオセンサ１８をセンサコネクタ１０から容易に取り外して廃棄処分できる。このため、バイオセンサ１８自体には指で触れることなく廃棄処分でき、血液感染を防止する観点から、バイオセンサ１８の安全な廃棄作業を容易に行うことができる。また、廃棄作業の安全性を、より向上させることができる。
【００３４】
また、バイオセンサ１８による測定前には、接続検知手段４１によって、バイオセンサ１８がセンサコネクタ１０へ測定可能なように挿入されたことを検知できる。このため、バイオセンサ１８による測定を確実に行うことができ、測定作業の精度及び効率を向上させることができる。
【００３５】
以上、本発明の一実施形態について説明したが、本発明のセンサコネクタ及び検体測定装置は、その他の形態でも実施し得るものである。
【００３６】
例えば、図９乃至図１１に示すセンサコネクタ５０であっても良い。このセンサコネクタ５０は、ベース５２の二つの斜面５４に摺動部材５６の両側の二つ斜面５７が摺動可能に係合されることによって、バイオセンサ１８の挿入方向と正又は逆方向以外には移動不可能なように、摺動部材５６がベース５２に嵌合されている。また、摺動部材５６の下面はベース５２の弾性板７０上の突起部６８に接触させられている。また、ベース５２のセンサ接続部５８は、摺動部材５６をベース５２へ取り付けた時に、ベース５２の孔６０内に突出する電極内蔵部６２と、孔６０の底面６４とによって形成される溝６６にバイオセンサ１８を挿入できるように構成されている。また、バイオセンサ１８の挿入方向両側の側端を孔６０の側面６１に沿って摺動させながらバイオセンサ１８を挿入するため、バイオセンサ１８は挿入方向と正又は逆方向以外には移動不可能にセンサコネクタ５０へ挿入されることとなる。
【００３７】
このようなセンサコネクタ５０は、摺動部材５６を上から押圧すると、図１１に示すように、突起部６８が摺動部材５６によって押圧されて弾性板７０が弾性変形しながら、摺動部材５６がベース５２に対して下へ摺動し、バイオセンサ１８が電極７２ａ及び７２ｂから離隔することとなる。バイオセンサ１８が電極７２ａ及び７２ｂから離隔した状態で、摺動部材５６をベース５２に対してバイオセンサ１８の挿入方向と逆方向へ摺動させることによって、孔６０の底面６４上に載置しているバイオセンサ１８が摺動部材５６と共に押し出されることとなる。このため、摺動部材５６を上から押圧しながらバイオセンサ１８の挿入方向と逆方向へ摺動させることによって、バイオセンサ１８を容易にセンサコネクタ５０から取り外すことができる。
【００３８】
また、センサコネクタ５０は、マイクロスイッチ７４を備えており、ベース５２に固定されている弾性アーム７６をバイオセンサ１８が押圧することによって、マイクロスイッチ７４の釦７８が弾性アーム７６によって押され、マイクロスイッチ７４がＯＮ信号を発し、バイオセンサ１８がセンサ接続部５８へ測定可能なように挿入されたことを検知できるように構成されている。
【００３９】
また、図１２に示すようなセンサコネクタ８０であっても良い。このセンサコネクタ８０は、バイオセンサ１８をセンサ接続部２０から押し出す押出手段が、ベース８２に固定された弾性アーム８４から構成されている。このようなセンサコネクタ８０であっても、弾性アーム８４をバイオセンサ１８に係合しながら、バイオセンサ１８に手を触れずにバイオセンサ１８を押し出すことができる。
【００４０】
また、図１３に示すようなセンサコネクタ９０であっても良い。このセンサコネクタ９０は、ベース１４が突起部４０を２個備え、左右対称な形状に構成されている。また、接続検知手段を特に備えていない。このようなセンサコネクタ９０であっても、バイオセンサ１８自体には指で触れることなくバイオセンサ１８を押し出して廃棄処分できるという効果を奏することができる。
【００４１】
以上、本発明の実施形態について図面に基づいて説明したが、本発明のセンサコネクタ及び検体測定装置は、図示したものに限定されず、その他の態様でも実施し得るものである。
【００４２】
例えば、本発明のセンサコネクタに接続するセンサはバイオセンサに限定されず、その他のセンサであっても良い。また、バイオセンサであっても、血液中の血糖値を測定するバイオセンサには限定されず、血液中のその他の成分を検知するセンサ、又は尿や汗の中の所定の成分を検知するバイオセンサであっても良い。また、ベース及び押出手段の形状は、上述のものに限定されず、押出手段によってセンサを押し出すことができる形状であれば良い。
【００４３】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００４４】
【発明の効果】
本発明のセンサコネクタによれば、押出手段によってセンサを手で触れずにセンサコネクタから押し出して、センサをセンサコネクタから離隔させ、又は固定状態を緩めることができるため、センサに手で触れずに、センサの取り外し作業又は付け直し作業を行うことができる。このため、センサに付着した物質が手に付くのを防止でき、センサの取り外し作業又は付け直し作業の安全性をより向上させることができる。また、センサをセンサ接続部から離隔させる場合には、センサを手で触れずにセンサコネクタから離隔させて取り外すことができる。このため、センサ自体には指で触れることなく廃棄処分でき、センサの安全な廃棄作業を容易に行うことができる。また、廃棄作業の安全性を、より向上させることができる。
【００４５】
また、本発明の前記センサコネクタにおいて、センサがバイオセンサであることを特徴とする本発明のセンサコネクタによれば、感染による危険性のある血液や尿等の検査用のバイオセンサの取り外し等の作業に使用するため、本発明のセンサコネクタの効果が特に顕著に生じることとなる。
【００４６】
また、センサ接続部がセンサを挿入して電極へ接続するように構成されるとともに、押出手段が少なくともベースに対して摺動する摺動部材から構成され、摺動部材を指で押圧しながらベースに対してセンサの挿入方向と逆の方向に摺動させることによって、センサがセンサ接続部に対して摺動し、センサがセンサ接続部から押し出されることを特徴とする本発明のセンサコネクタによれば、摺動部材を摺動させることによって容易にセンサをセンサコネクタから押し出すことができる。このため、センサの安全な取り外し又は付け直し作業を容易に行うことができる。
【００４７】
また、摺動部材がセンサ接続部に挿入されたセンサに係合される係合部を有し、係合部をセンサに係合させながら摺動部材をベースに対して摺動させることによって、センサがセンサ接続部から押し出されることを特徴とする本発明のセンサコネクタによれば、摺動部材の係合部をセンサに係合させることによって確実にセンサをセンサコネクタから押し出すことができる。このため、センサの安全な取り外し又は付け直し作業を確実に行うことができる。
【００４８】
また、センサが挿入方向と正又は逆方向以外には移動不可能なようにセンサ接続部に圧入して挿入され、摺動部材がベースに対して挿入方向と正又は逆方向以外には移動不可能なように、摺動部材がベースに嵌合されたことを特徴とする本発明のセンサコネクタによれば、摺動部材とセンサとの係合状態を確保しながら摺動部材をベースに対してセンサの挿入方向と逆方向へ平行移動させ、センサをセンサコネクタから押し出すことができる。このため、センサの安全な取り外し又は付け直し作業を確実に行うことができる。また、センサをセンサコネクタから押し出していくに従って、センサとセンサコネクタとの固定状態が緩くなっていくため、センサを押し出す時にセンサが急に飛び出すのを防止できる。このため、センサの付着した液体等が周囲に飛び散るのを防止して、センサの取り外し又は付け直し作業の安全性をより向上させることができる。
【００４９】
また、摺動部材を指で押圧しながらベースに対して摺動させるための凸部が備えられたことを特徴とする本発明のセンサコネクタによれば、摺動部材の凸部に指を掛けることにより、指が摺動部材に対して滑ることなく、摺動部材を容易かつ確実に摺動させることができる。このため、センサの取り外し又は付け直し作業の安全性をより向上させることができる。
【００５０】
また、センサ接続部にセンサを接続したことを検知する接続検知手段を備えたことを特徴とする本発明のセンサコネクタによれば、センサによる測定が可能なようにセンサをセンサ接続部へ接続したことを作業者が認識した後にセンサによる測定作業を行うことができる。このため、測定作業を行ったにもかかわらずに測定データを得られないということがなく、センサによる測定を確実に行うことができ、測定作業の精度及び効率を向上させることができる。
【００５１】
また、本発明の検体測定装置は、押出手段を有する本発明のセンサコネクタを備えているため、センサのセンサコネクタからの取り外し作業又は付け直し作業の安全性をより向上させることができる。
【図面の簡単な説明】
【図１】本発明のセンサコネクタ及び検体測定装置を示す図であり、同図（ａ）はセンサコネクタ及び検体測定装置の平面図であり、同図（ｂ）は同図（ａ）のＡ−Ａ線切断部断面図である。
【図２】図１のセンサコネクタ及び検体測定装置の正面図である。
【図３】図１のセンサコネクタの右側面図である。
【図４】図１のセンサコネクタの底面図である。
【図５】図１のセンサコネクタの背面図である。
【図６】図１のセンサコネクタのベースを示す図であり、同図（ａ）は平面図であり、同図（ｂ）は背面図である。
【図７】図６（ａ）のＡ−Ａ線切断部断面図である。
【図８】図１のセンサコネクタの使用状態を示す平面図である。
【図９】本発明のセンサコネクタの他の実施形態を示す正面図である。
【図１０】図９のセンサコネクタの使用状態を示す平面図である。
【図１１】図９のセンサコネクタの使用状態を示す正面図である。
【図１２】本発明のセンサコネクタの更に他の実施形態を示す図であり、同図（ａ）は平面図であり、同図（ｂ）は正面図である。
【図１３】本発明のセンサコネクタの更に他の実施形態を示す底面図である。
【図１４】バイオセンサを示す平面図である。
【符号の説明】
１０，５０，８０，９０：センサコネクタ
１２：検体測定装置
１４，５２：ベース
１６ａ，１６ｂ：電極
１８：バイオセンサ
２０，５８：センサ接続部
２２：プリント基盤
２４：基盤接続部
２６：溝
３２：摺動部材（押出部材）
３３：係合部
３４：凸部
【図１】
2004061209.tif 000003
【図２】
2004061209.tif 000004
【図３】
2004061209.tif 000005
【図４】
2004061209.tif 000006
【図５】
2004061209.tif 000007
【図６】
2004061209.tif 000008
【図７】
2004061209.tif 000009
【図８】
2004061209.tif 000010
【図９】
2004061209.tif 000011
【図１０】
2004061209.tif 000012
【図１１】
2004061209.tif 000013
【図１２】
2004061209.tif 000014
【図１３】
2004061209.tif 000015
【図１４】
2004061209.tif 000016